(57)【要約】【課題】火薬の燃焼中ないし燃焼後に赤熱スラグが落下するおそれのないスパークラーを提供する。【解決手段】軸１１に不燃材１３を固着し、該不燃材の表面に火薬１５を固着してなるスパークラーにおいて、該不燃材は低熱伝導性材料の高摩擦体であることを特徴とするスパークラー。高摩擦体は表面に凹凸を備えている。高摩擦体は砂である。軸に火薬を固着してなるスパークラーにおいて、該火薬における先端部に火花が出ない別の火薬を固着したことを特徴とするスパークラー。軸に火薬を固着してなるスパークラーにおいて、該火薬の先端における内部に軸が存在しない部分を除去したことを特徴とするスパークラー。軸に火薬を固着してなるスパークラーにおいて、該火薬の先端における内部に軸が存在しない部分を除去すると共に当該除去した端部に火花が出ない別の火薬を固着したことを特徴とするスパークラー。【選択図】図１
2007255875.tif 000002
【特許請求の範囲】
【請求項１】
軸に不燃材を固着し、該不燃材の表面に火薬を固着してなるスパークラーにおいて、
該不燃材は低熱伝導性材料の高摩擦体であることを特徴とするスパークラー。
【請求項２】
前記高摩擦体は表面に凹凸を備えていることを特徴とする請求項１に記載のスパークラー。
【請求項３】
前記高摩擦体は砂であることを特徴とする請求項１に記載のスパークラー。
【請求項４】
軸に火薬を固着してなるスパークラーにおいて、
該火薬における先端部に火花が出ない別の火薬を固着したことを特徴とするスパークラー。
【請求項５】
軸に火薬を固着してなるスパークラーにおいて、
該火薬の先端における内部に軸が存在しない部分を除去したことを特徴とするスパークラー。
【請求項６】
軸に火薬を固着してなるスパークラーにおいて、
該火薬の先端における内部に軸が存在しない部分を除去すると共に当該除去した端部に火花が出ない別の火薬を固着したことを特徴とするスパークラー。
【発明の詳細な説明】
【技術分野】
【０００１】
本発明は、軸に火薬を固着してなるスパークラーに関するものである。
【背景技術】
【０００２】
軸に火薬を固着してなるスパークラーは、従来より使用されている。以下、このスパークラーを「従来のスパークラー」という。
【０００３】
本出願人は、実公平２−１２４７３号公報において、軸（芯材）に不燃材を固着し、該不燃材の表面に火薬を固着してなる玩具花火（以下「従来の玩具花火」という。）を提供している。
【特許文献１】実公平２−１２４７３号公報
【発明の開示】
【発明が解決しようとする課題】
【０００４】
しかるに、上記従来のスパークラー及び上記従来の玩具花火においては、火薬の燃焼中ないし燃焼後に、粘性流体状の赤熱スラグが落下するおそれがある。赤熱スラグは、火薬中に混入されている鉄粉、アルミニウム粉末等の固形残渣である。
【０００５】
赤熱スラグの落下は、特に内部に軸が存在しない火薬の先端部にしばしば見られる。
【０００６】
即ち、図５は、軸１に火薬３を固着してなる従来のスパークラーを示すものであるが、この火薬３の先端部３ａから赤熱スラグ５がしばしば落下する。もとより、火薬３における先端部３ａ以外の部分から赤熱スラグ５が落下することも往々にしてある。
【０００７】
火薬の燃焼中ないし燃焼後に赤熱スラグが落下することは極めて危険である。即ち、例えば赤熱スラグがスパークラーの使用者ないし看者の足上に落下したときには、該使用者ないし看者が火傷を負うおそれがあり、また、該スパークラーを屋内で使用しているときに赤熱スラグが床上等に落下したときには火災が発生するおそれがある。
【０００８】
このような状況に鑑み、本発明は、火薬の燃焼中ないし燃焼後に赤熱スラグが落下するおそれのないスパークラーを提供しようとしてなされたものである。
【課題を解決するための手段】
【０００９】
上記課題を解決するために、本発明は下記のスパークラーを提供する。
【００１０】
（１）軸に不燃材を固着し、該不燃材の表面に火薬を固着してなるスパークラーにおいて、
該不燃材は低熱伝導性材料の高摩擦体であることを特徴とするスパークラー（請求項１）。
【００１１】
（２）前記高摩擦体は表面に凹凸を備えている（請求項２）。
【００１２】
（３）前記高摩擦体は砂である（請求項３）。
【００１３】
（４）軸に火薬を固着してなるスパークラーにおいて、
該火薬における先端部に火花が出ない別の火薬を固着したことを特徴とするスパークラー（請求項４）。
【００１４】
（５）軸に火薬を固着してなるスパークラーにおいて、
該火薬の先端における内部に軸が存在しない部分を除去したことを特徴とするスパークラー（請求項５）。
【００１５】
（６）軸に火薬を固着してなるスパークラーにおいて、
該火薬の先端における内部に軸が存在しない部分を除去すると共に当該除去した端部に火花が出ない別の火薬を固着したことを特徴とするスパークラー（請求項６）。
【発明の効果】
【００１６】
［請求項１の発明］
不燃材は高摩擦体であり、該高摩擦体が赤熱スラグを保持するため、火薬の燃焼中又は燃焼後において粘性流体状の赤熱スラグが落下するおそれはない。赤熱スラグは、火薬中に混入されている鉄粉、アルミニウム粉末等の固形残渣である。
【００１７】
因みに、本発明者は、従来のスパークラー又は従来の玩具花火において火薬の燃焼中又は燃焼後に粘性流体状の赤熱スラグが落下するのは、針金若しくは木の如く摩擦抵抗の小さい軸に直接火薬を固着し、又は軸に固着した摩擦抵抗の小さい不燃材の表面に火薬を固着していることに起因することを見出している。
【００１８】
また、高摩擦体は、低熱伝導性材料により形成されているため、火薬の燃焼による熱エネルギーを蓄積することなく発散させる。即ち、該高摩擦体は赤熱スラグの熱を発散させる結果、該赤熱スラグを短時間で冷却させる効果をも発揮する。
【００１９】
［請求項２の発明］
高摩擦体は、表面に凹凸を備えているため、赤熱スラグを滴下させることなく該凹凸部に好ましく保持する。
【００２０】
［請求項３の発明］
高摩擦体は砂であるため、安価であって、砂を軸に固着したときには赤熱スラグを保持する好ましい凹凸が形成される。
【００２１】
［請求項４の発明］
火薬の先端部から赤熱スラグが落下する原因は、内部に軸が存在しない先端部が火花を発すると、その火花の勢いで該先端部が落下しやすくなるという点にもあるものと思われる。
【００２２】
火薬における先端部に火花が出ない別の火薬を固着したときには、燃焼時、当該別の火薬の表面が固まり、この表面の固まった層が内側の火薬による火花の発生を抑制する。その結果、火花の勢いで先端部が落下することが防止される。
【００２３】
［請求項５の発明］
火薬の先端部から赤熱スラグが落下する原因の一つは、該先端部の内部に軸が存在しないという点にある。
【００２４】
従って、火薬の先端における内部に軸が存在しない部分を除去することにより、先端部が落下することが防止される。
【００２５】
［請求項６の発明］
火薬の先端における内部に軸が存在しない部分を除去すると共に当該除去した端部に火花が出ない別の火薬を固着したときには、先端部が落下することが一層効果的に防止される。
【発明を実施するための最良の形態】
【００２６】
符号１１に示すものは、スパークラーの軸である。
【００２７】
軸１１は、針金、木、合成樹脂などにより形成される。
【００２８】
該軸１１に不燃材１３を固着し、該不燃材１３の表面に火薬１５を固着する。
【００２９】
火薬１５は、一例として、下記の如き組成を有する。
【００３０】
硝酸バリウム    ６０重量％
鉄粉              ２０重量％
アルミニウム粉    ５重量％
樹脂                ５重量％
でんぷんのり    １０重量％
【００３１】
しかして、本発明においては、前記不燃材１３は低熱伝導性材料の高摩擦体である。図１参照。即ち、不燃材１３は、熱伝導性が低い材料により形成された摩擦抵抗が大きい高摩擦体である。
【００３２】
前記高摩擦体は、好ましくは、表面に細かな凹凸を備えている。
【００３３】
前記高摩擦体は、より好ましくは、砂（岩石又は鉱物の細粒）である。
【００３４】
図２に示す事例においては、火薬１５における先端部１５ａに火花が出ない別の火薬１７を固着している。
【００３５】
火花が出ない別の火薬１７は、一例として、下記の如き組成を有する。
【００３６】
硝酸バリウム    ７０重量％
アルミニウム粉    ５重量％
樹脂                ５重量％
でんぷんのり    ２０重量％
【００３７】
図３に示す事例においては、火薬１５の先端における、内部に軸が存在しない部分１５ｂを除去している。
【００３８】
図４に示す事例においては、火薬１５の先端における、内部に軸が存在しない部分１５ｂを除去すると共に当該除去した端部に火花が出ない別の火薬１７を固着している。
【００３９】
火花が出ない別の火薬１７は、図２に示す前記事例におけるものと同じである。
【図面の簡単な説明】
【００４０】
【図１】本発明によるスパークラーの一例を示す断面図である。
【図２】同上スパークラーの別の一例を示す断面図である。
【図３】同上スパークラーの更に別の一例を示す断面図である。
【図４】同上スパークラーの更に別の一例を示す断面図である。
【図５】従来のスパークラーを示す断面図である。
【符号の説明】
【００４１】
１  軸
３  火薬
３ａ  先端部
５  赤熱スラグ
１１  軸
１３  不燃材
１５  火薬
１５ａ  先端部
１５ｂ  内部に軸が存在しない部分
１７  別の火薬
【図１】
2007255875.tif 000003
【図２】
2007255875.tif 000004
【図３】
2007255875.tif 000005
【図４】
2007255875.tif 000006
【図５】
2007255875.tif 000007